(57)【要約】【課題】  （１）高精度に製作でき、（２）高精度に値付け測定ができ、（３）トレーサビリティの保証も容易に行える、はすば歯車歯筋測定に対する検査・校正に用いる検査・校正アーティファクト及び検査・校正法を提供する。【解決手段】  アーティファクト１０は、第１の平面に含まれる第１の基準部１６と、第１の平面と非直角の所定の角度γをなす第２の平面に含まれる第２の基準部１２とを備える。第１の基準部１６の位置及び傾きが、歯車歯面形状測定機に設置される測定対象はすば歯車の歯筋測定が行われるときの歯筋測定歯面の位置及び傾きと略一致するように、かつ、第２の基準部１２が、測定対象はすば歯車の中心軸と略平行又は略垂直となるように、歯車歯面形状測定機に設置された状態で、第１の基準部１６を測定対象はすば歯車の歯筋測定歯面と見立てて、歯筋測定が行われる。【選択図】  図１
2006300882.tif 000002
【特許請求の範囲】
【請求項１】
歯車歯面形状測定機のはすば歯車歯筋測定に対する検査・校正に用いる検査・校正アーティファクトであって、
第１の平面に含まれる第１の基準部と、
前記第１の平面と非直角の所定の角度をなす第２の平面に含まれる第２の基準部とを備え、
前記検査・校正アーティファクトは、歯車歯面形状測定機のはすば歯車歯筋測定に対する検査・校正のために、
ａ）前記第１の基準部の位置及び傾きが、前記歯車歯面形状測定機に設置される測定対象のはすば歯車（以下、「測定対象はすば歯車」という。）の歯筋測定が行われるときの歯筋測定歯面の位置及び傾きと略一致するように、かつ、
ｂ）前記第２の基準部が、前記歯車歯面形状測定機に設置されたときの前記測定対象はすば歯車の中心軸と略平行又は略垂直となるように、
前記歯車歯面形状測定機に設置された状態で、前記第１の基準部を前記測定対象はすば歯車の前記歯筋測定歯面と見立てて、歯筋測定が行われることを特徴とする、検査・校正アーティファクト。
【請求項２】
前記第１の平面に直交するとともに前記第２の平面に直交する第３の平面に含まれる第３の基準部と、
前記第３の平面と所定の間隔を設けて平行に延在する第４の平面に含まれる第４の基準部と、
前記第２の平面に直交するとともに前記第３の平面に直交する第５の平面に含まれる第５の基準部とのうち、少なくとも一つの基準部をさらに備えたことを特徴とする、請求項１に記載の検査・校正アーティファクト。
【請求項３】
前記第３の基準部及び前記第４の基準部を備えたことを特徴とする、請求項２に記載の検査・校正アーティファクト。
【請求項４】
第１の平面に含まれる第１の基準部と、前記第１の平面と非直角の所定の角度をなす第２の平面に含まれる第２の基準部とを備え、予め値付け測定が行われた検査・校正アーティファクトを用いる、歯車歯面形状測定機のはすば歯車歯筋測定の測定精度の検査・校正法であって、
ａ）前記検査・校正アーティファクトの前記第１の基準部の位置及び傾きが、前記歯車歯面形状測定機に設置される測定対象のはすば歯車（以下、「測定対象はすば歯車」という。）の歯筋測定が行われるときの歯筋測定歯面の位置及び傾きと略一致するように、かつ、ｂ）前記検査・校正アーティファクトの前記第２の基準部が、前記歯車歯面形状測定機に設置されたときの前記測定対象はすば歯車の中心軸と略平行又は略垂直となるように、前記検査・校正アーティファクトを前記歯車歯面形状測定機に設置する第１のステップと、
前記歯車歯面形状測定機に設置された前記検査・校正アーティファクトについて測定を行い、前記検査・校正アーティファクトの前記第１の基準部の位置及び傾きを求める第２のステップと、
前記検査・校正アーティファクトの前記第１の基準部を、前記測定対象はすば歯車の前記歯筋測定歯面と見立てて、前記歯車歯面形状測定機で歯筋測定を行い、該歯筋測定の実測値を得る第３のステップと、
前記検査・校正アーティファクトの前記値付け測定の結果と、前記第２のステップにより求めた前記検査・校正アーティファクトの前記第１の基準部の前記位置及び前記傾きとに基づいて、前記歯筋測定の理論値を算出する第４のステップと、
前記第３のステップで得た前記歯筋測定の前記実測値と、前記第４のステップで算出した前記歯筋測定の前記理論値とを比較する第５のステップとを備えたことを特徴とする、歯車歯面形状測定機のはすば歯車歯筋測定の測定精度の検査・校正法。
【発明の詳細な説明】
【技術分野】
【０００１】
本発明は、歯車歯面形状測定機の評価方法に関し、詳しくは、歯車歯面形状測定機のはすば歯車歯筋測定の測定精度を評価するための検査・校正アーティファクト及びそれを用いて歯車歯面形状測定機のはすば歯車歯筋測定の測定精度を評価する技術に関する。
【背景技術】
【０００２】
生産歯車（製品として出荷される歯車）を測定する歯車歯面形状測定機の検査・校正は、測定部分の寸法・形状が既知の検査・校正アーティファクト（標準器）を測定することにより行われている。
【０００３】
はすば歯車の歯筋測定精度については、ヘリコイドアーティファクトにより検査・校正がされている。例えば、非特許文献１には、円筒部分にヘリコイド形状の溝を設けたヘリコイドアーティファクトが開示されている。
【非特許文献１】"ＩＳＯ  １８６５３：２００３  Ｇｅａｒｓ−−Ｅｖａｌｕａｔｉｏｎ  ｏｆ  ｉｎｓｔｒｕｍｅｎｔｓ  ｆｏｒ  ｔｈｅ  ｍｅａｓｕｒｅｍｅｎｔ  ｏｆ  ｉｎｄｉｖｉｄｕａｌ  ｇｅａｒｓ"，Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ（Ｆｉｇｕｒｅ  ４）
【発明の開示】
【発明が解決しようとする課題】
【０００４】
このようなアーティファクトは、三次元的に複雑な形状であるため、高精度に製作することは困難である。また、値付け測定を精度よく行うことも難しい。
【０００５】
さらに、アーティファクトはトレーサビリティを保証する必要があるが、ヘリコイドアーティファクトのような複雑な面形状に対しては、どの程度詳細に値付け測定すれば、面形状としてトレーサブルと考えられるかが、明らかになっていない。また、現状のアーティファクトは、その高精度形状測定が困難なこともあり、通常、トレーサビリティは保証されていない。
【０００６】
本来、アーティファクトは、検査・校正に用いる部分を高精度に製作できなければならない。また、高精度に値付け測定ができなければならない。また、トレーサビリティの保証も望まれる。
【０００７】
本発明は、かかる実情に鑑みて、（１）高精度に製作でき、（２）高精度に値付け測定ができ、（３）トレーサビリティの保証も容易に行える、歯車歯面形状測定機のはすば歯車歯筋測定に対する検査・校正に用いる検査・校正アーティファクト、及び該アーティファクトを用いた歯車歯面形状測定機のはすば歯車歯筋測定の測定精度の検査・校正法を提供することを目的とする。
【課題を解決するための手段】
【０００８】
本発明は、上記課題を解決するために、以下のように構成した、歯車歯面形状測定機のはすば歯車歯筋測定に対する検査・校正に用いる検査・校正アーティファクトを提供する。
【０００９】
歯車歯面形状測定機のはすば歯車歯筋測定に対する検査・校正に用いる検査・校正アーティファクトは、第１の平面に含まれる第１の基準部と、前記第１の平面と非直角の所定の角度をなす第２の平面に含まれる第２の基準部とを備える。前記検査・校正アーティファクトは、歯車歯面形状測定機のはすば歯車歯筋測定に対する検査・校正のために、ａ）前記第１の基準部の位置及び傾きが、前記歯車歯面形状測定機に設置される測定対象のはすば歯車（以下、「測定対象はすば歯車」という。）の歯筋測定が行われるとき歯筋測定歯面の位置及び傾きと略一致するように、かつ、ｂ）前記第２の基準部が、前記歯車歯面形状測定機に設置されたときの前記測定対象はすば歯車の中心軸と略平行又は略垂直となるように、前記歯車歯面形状測定機に設置された状態で、前記第１の基準部を前記測定対象はすば歯車の前記歯筋測定歯面と見立てて、歯筋測定が行われる。
【００１０】
上記構成において、検査・校正アーティファクトは、第１及び第２の基準部が平面であるので、高精度に製作することができる。また、第１及び第２の基準部について、平面度や所定の角度の値付け測定も容易であり、トレーサビリティの保証も容易である。
【００１１】
上記構成によれば、第１の基準部を測定対象はすば歯車の歯筋測定歯面と見立てて歯車歯面形状測定機で測定したときの歯筋測定の理論値と実測値とを比較することにより、歯車歯面形状測定機の歯筋測定の測定精度（測定誤差）を評価することができる。
【００１２】
上記構成において、検査・校正アーティファクトの第１の基準部と第２の基準部とがなす所定の角度は、第１の基準部を測定対象はすば歯車の歯筋測定歯面と見立てて測定したときの第１の基準部と測定対象歯車の歯筋測定歯面との理論的隙間が測定に適正なように決定し、検査・校正アーティファクトの第１の基準部を歯筋測定歯面と見立てて歯筋測定可能な範囲内に配置することにより、歯車歯面形状測定機で実際に計測する。この場合、測定対象はすば歯車の歯筋測定歯面に近い形状を計測することができる。
【００１３】
あるいは、第１の基準部と第２の基準部とが所定の角度をなす検査・校正アーティファクトについて、第１の基準部と測定対象歯車の歯筋測定歯面との理論的隙間が測定に適正となり、歯筋測定も可能となるように、測定対象はすば歯車の歯車諸元（ねじれ角、ピッチ円半径、歯幅を含む。）を適宜に設定して、検査・校正アーティファクトの第１の基準部を測定対象はすば歯車の歯筋測定歯面と見立てて測定してもよい。この場合、一つの検査・校正アーティファクトで種々の歯車諸元の測定対象はすば歯車について、検査・校正を行うことができる。
【００１４】
好ましくは、第３ないし第５の基準部のうち、少なくとも一つの基準をさらに備える。前記第３の基準部は、前記第１の平面に直交するとともに前記第２の平面に直交する第３の平面に含まれる。前記第４の基準部は、前記第３の平面と所定の間隔を設けて平行に延在する第４の平面に含まれる。前記第５の基準部は、前記第２の平面に直交するとともに前記第３の平面に直交する第５の平面に含まれる。
【００１５】
上記構成において、第３ないし第５の基準部は、平面であるので、高精度に製作することができ、それぞれの平面度や直角度の値付け測定も容易であり、トレーサビリティの保証も容易である。
【００１６】
上記構成によれば、検査・校正アーティファクトを歯車歯面形状測定機に設置して、第２の基準部と、第３ないし第５の基準部の中の少なくとも一つとを測定すれば、値付け測定の結果に基づいて、第１の基準部を測定することなく容易に、かつ高精度に、第１の基準部の位置及び傾きを求めることができる。
【００１７】
好ましくは、前記第３の基準部及び前記第４の基準部を備える。
【００１８】
上記構成によれば、右ねじれ、左ねじれの両方の測定対象はすば歯車を想定して、検査・校正アーティファクトを用いることができる。
【００１９】
また、本発明は、上記課題を解決するために、歯車歯面形状測定機のはすば歯車歯筋測定の測定精度の検査・校正法を提供する。
【００２０】
歯車歯面形状測定機のはすば歯車歯筋測定の測定精度の検査・校正法は、第１の平面に含まれる第１の基準部と、前記第１の平面と非直角の所定の角度をなす第２の平面に含まれる第２の基準部とを備え、予め値付け測定が行われた検査・校正アーティファクトを用いる。歯車歯面形状測定機のはすば歯車歯筋測定の測定精度の検査・校正法は、第１ないし第５のステップを備える。前記第１のステップにおいて、ａ）前記検査・校正アーティファクトの前記第１の基準部の位置及び傾きが、前記歯車歯面形状測定機に設置される測定対象のはすば歯車（以下、「測定対象はすば歯車」という。）の歯筋測定が行われるときの歯筋測定歯面の位置及び傾きと略一致するように、かつ、ｂ）前記検査・校正アーティファクトの前記第２の基準部が、前記歯車歯面形状測定機に設置されたときの前記測定対象はすば歯車の中心軸と略平行又は略垂直となるように、前記検査・校正アーティファクトを前記歯車歯面形状測定機に設置する。前記第２のステップにおいて、前記歯車歯面形状測定機に設置された前記検査・校正アーティファクトについて測定を行い、前記検査・校正アーティファクトの前記第１の基準部の位置及び傾きを求める。前記第３のステップにおいて、前記検査・校正アーティファクトの前記第１の基準部を、前記測定対象はすば歯車の前記歯筋測定歯面と見立てて、前記歯車歯面形状測定機で歯筋測定を行い、該歯筋測定の実測値を得る。前記第４のステップにおいて、前記検査・校正アーティファクトの前記値付け測定の結果と、前記第２のステップにより求めた前記検査・校正アーティファクトの前記第１の基準部の前記位置及び前記傾きとに基づいて、前記歯筋測定の理論値を算出する。前記第５のステップにおいて、前記第３のステップで得た前記歯筋測定の前記実測値と、前記第４のステップで算出した前記歯筋測定の前記理論値とを比較する。
【００２１】
上記検査・校正方法において、第３のステップは、第２のステップ又は第４のステップとの順序を入れ替えてもよい。また、第３のステップは、第２のステップと第４のステップの少なくとも一方と、平行して実行してもよい。
【００２２】
第１のステップにおいて、検査・校正アーティファクトの第１の基準部の位置及び傾きが測定対象はすば歯車の歯筋測定歯面の位置及び傾きと略一致するように調整しながら、検査・校正アーティファクトを歯車歯面形状測定機に設置してもよい。
【００２３】
第２のステップにおいて、検査・校正アーティファクトの第１の基準部の位置及び傾きは、第１の基準部を測定することにより、直接、求めてもよい。あるいは、検査・校正アーティファクトの値付け測定の結果と、検査・校正アーティファクトの第２の基準部の測定とから、間接的に求めてもよい。間接的に求める場合には、検査・校正アーティファクトの第１の基準部の測定も行うようにしてもよい。
【００２４】
第１のステップにより、検査・校正アーティファクトは、第１の基準部の位置及び傾きが測定対象はすば歯車の歯筋測定歯面の位置及び傾きと略一致するように、歯車歯面形状測定機に設置されるので、第３のステップにおいて、検査・校正アーティファクトの第１の基準部を、測定対象はすば歯車の歯筋測定歯面と見立てて、歯車歯面形状測定機で歯筋測定を行うことができる。
【００２５】
第５のステップで、歯筋測定の理論値と実測値とを比較することにより、歯車歯面形状測定機の歯筋測定の測定精度（測定誤差）を評価することができる。
【発明の効果】
【００２６】
本発明は、（１）高精度に製作でき、（２）高精度に値付け測定ができ、（３）トレーサビリティの保証も容易に行える、歯車歯面形状測定機のはすば歯車歯筋測定に対する検査・校正に用いる検査・校正アーティファクト及び該アーティファクトを用いた歯車歯面形状測定機のはすば歯車歯筋測定の測定精度の検査・校正法を提供することができる。
【発明を実施するための最良の形態】
【００２７】
以下、本発明の実施の形態について、図１〜図９を参照しながら説明する。
【００２８】
まず、本発明の検査・校正アーティファクト（以下、「アーティファクト」という。）の原理とその設計及び使用方法について、図７〜図９を参照しながら説明する。
【００２９】
図７に示すように、歯筋測定を行うはすば歯車の１つの歯面にプローブが当接する軌跡、すなわち当該歯面の歯筋方向の形状は、同一半径部分にプローブが当接するので、理想的には、中心軸５０まわりの螺旋５２となる。実際には、はすば歯車の歯幅は有限であるので、螺旋５２のうち、はすば歯車の歯幅に相当する部分５４だけが、歯面上に存在する。このような有限部分５４の螺旋５２に対して、適当な平面を選べば、その平面の近傍に有限部分５４の螺旋５２が位置するようにすることができる。
【００３０】
図８の透視図に示すように、はすば歯車の歯筋測定を行う歯面上においてプローブが当接する歯筋方向の形状に相当する螺旋６４は、歯筋測定半径を有する円筒面６０上に位置する。図中の楕円６２は、ある平面と歯筋測定半径を有する円筒面６０との交線である。図８のように、適当な平面を選べば、螺旋６４と楕円６２の空間的位置は、ある区間６６でほぼ重なるようにすることができる。
【００３１】
このように、螺旋６４の一部とほぼ重なる平面（以下、「歯筋相当平面）という。）を有するアーティファクトを用い、アーティファクトの歯筋相当平面を、螺旋６４に相当する歯筋方向の形状を有するはすば歯車の歯面であると想定して、測定誤差のない歯車歯面形状測定機で歯筋測定を行うと、本来の螺旋６４の代わりに楕円６２近傍の歯筋相当平面上にプローブが接し、計測される。測定誤差のない歯車歯面形状測定機では、螺旋６４にプローブが接したときに計測される歯筋誤差はゼロであるので、螺旋６４と歯筋相当平面との隔たりの歯車作用線方向成分を、歯筋誤差の測定値として出力する。このような歯筋誤差の測定値は、理論的に求めることができる。なお、はすば歯車のインボリュートヘリコイド面の作用面を、歯車軸に直角な面に投影したものを「歯車作用線」又は「作用線」という。
【００３２】
図９中の曲線Ａ（以下、「理論値曲線Ａ」という。）は、このように歯筋相当平面をはすば歯車の歯面であると想定して歯筋測定を行った場合に測定される歯筋誤差を理論的に求めた例である。横軸が歯幅（歯筋方向）、縦軸が歯筋誤差である。
【００３３】
実際の歯車歯面形状測定機は測定値に測定誤差を含むため、歯筋相当平面をはすば歯車の歯面であると想定して歯筋測定を行った場合、理論値曲線Ａとは異なる曲線Ｂ（以下、「実測値曲線Ｂ」という。）のような測定結果を出力する。理論値曲線Ａと実測値曲線Ｂとの差は、歯車歯面形状測定機が有する誤差を示すものであるので、理論値曲線Ａと実測値曲線Ｂの差を用いることによって歯車歯面形状測定機のはすば歯車歯筋測定の測定精度の検査・校正が可能となる。
【００３４】
なお、実測値曲線Ｂには、歯筋相当平面の測定部分の平面度の狂いも含まれるが、通常、平面は高精度に製作できるため、平面度の狂いが実測値曲線Ｂに与える影響は実質上無視できる。
【００３５】
また、実測値曲線Ｂには、実際に測定したときの歯筋相当平面の位置及び傾きと、理論計算上の歯筋相当平面の位置及び傾きとの違いの影響も含まれる。この場合、歯筋相当平面の実際の位置及び傾きを考慮した理論計算を行い、理論値曲線Ａを求め、実測値曲線Ｂとの差をとれば、実際の平面の位置及び傾きと、理論計算上の位置及び傾きとの違いの影響は排除され、理論値曲線Ａと実測値曲線Ｂの差は、歯車歯面形状測定機が有する誤差だけを示すものとなる。
【００３６】
歯筋相当平面を有するアーティファクトを、歯車歯面形状測定機の検査・校正に実際に用いることができるようにするためには、歯車歯面形状測定機の検査・校正の対象とするはすば歯車とアーティファクトの歯筋相当平面とが、次の条件（ａ）および（ｂ）を満たす必要がある。
【００３７】
（ａ）実測値曲線Ｂが、歯車歯面形状測定機が保証する測定値の範囲内に収まること
歯車歯面形状測定機が保証する測定値の範囲には限界があり、例えば、±２００μｍの範囲となる。そのため、歯車歯面形状測定機の検査・校正のためには、歯車歯面形状測定機の出力である実測値曲線Ｂがこの範囲を超えないようにする必要がある。これを実現するように、はすば歯車の歯筋に相当する螺旋と歯筋相当平面との隔たりが大きくなり過ぎないようにする。
【００３８】
（ｂ）歯車歯面形状測定機のプローブが、測定中にアーティファクトの歯筋相当平面外に出ないこと
アーティファクトが有する歯筋相当平面は有限であるため、歯車歯面形状測定機のプローブが測定中に歯筋相当平面の端からはみ出さないようにする必要がある。
【００３９】
次に、歯筋相当平面を有するアーティファクトの具体的な使用方法について、説明する。
【００４０】
（使用方法１）  検査・校正の対象とするはすば歯車の歯車諸元が決まっており、そのはすば歯車に対して設計されたアーティファクトを用いる場合について説明する。
【００４１】
アーティファクトの設計において、条件（ａ）を満たすように、歯筋相当平面の傾きを、計算により決定する。また、条件（ｂ）を満たし、測定中にプローブが歯筋相当平面の端からはみ出さないように、歯筋相当平面を適切な大きさに設計する。
【００４２】
このような設計に基づいて製作されたアーティファクトの歯筋相当平面の傾きは、実際には、設計値とは若干異なるものとなる。アーティファクトの歯筋相当平面の傾きの設計値との違いが無視できない場合には、歯筋相当平面の傾きの値付け結果を考慮した計算により理論値を求め、アーティファクトを用いてはすば歯車を想定した歯筋測定を行って得た実測値と比較すればよい。
【００４３】
（使用方法２）  歯筋相当平面の傾きが既知のアーティファクトが既にあり、そのアーティファクトを用い、はすば歯車の歯車諸元を想定して、歯車歯面形状測定機を検査・校正する場合の使用方法について説明する。
【００４４】
はすば歯車の歯車諸元を適宜に仮定し、アーティファクトの既知の歯筋相当平面の傾きを考慮して計算を行い、条件（ａ）及び（ｂ）を満たすことを確認し、歯筋計測の理論値を求める。条件（ａ）又は（ｂ）を満たさない場合には、はすば歯車の歯車諸元の仮定を見直す。
【００４５】
つぎに、理論値を求める際に仮定したはすば歯車の歯車諸元を想定した歯筋測定を行い、歯筋測定の実測値を得て、理論値と比較する。
【００４６】
この使用方法によれば、１つのアーティファクトで、ねじれ角や基礎円半径の異なる様々な歯車諸元のはすば歯車を対象とすることができる。このため、使用方法１のように、特定の歯車諸元のはすば歯車を対象として製作されたアーティファクトでも、歯車諸元の異なるはすば歯車を想定して、歯車歯面形状測定機の検査・校正に用いることができる。
【００４７】
（実施例）  アーティファクト１０は、図１（ａ）及び（ｃ）に示すように正面及び背面から見ると長方形、図１（ｂ）及び（ｄ）に示すように側面から見ると略三角形のブロック状の部材である。底面１８及び背面１２は、互いに略直交する長方形である。右側面１４及び左側面１５は、互いに平行に延在する左右対称の略直角三角形であり、それぞれ、底面１８と略直交し、背面１２と直交する。
【００４８】
アーティファクト１０の正面下部には、底面１８、右側面１４及び左側面１５と略直交する略長方形の前面１７が形成されている。アーティファクト１０の上部には、背面１２、右側面１４及び左側面１５と略直交する略長方形の上面１１が形成されている。
【００４９】
アーティファクト１０の正面上部には、略長方形の斜面１６が形成されている。斜面１６は、右側面１４及び左側面１５と直交し、背面１２に対して所定の角度γだけ傾いている。斜面１６は、歯面と見立てて歯車歯面形状測定機で歯筋測定される歯筋相当平面である。前述したように、角度γは、歯車歯面形状測定機に計測条件として設定される測定対象のはすば歯車の歯車諸元に対応して決めることができる。
【００５０】
アーティファクト１０を構成する面のうち、背面１２、右側面１４、左側面１５、斜面１６は、測定対象となる。背面１２、右側面１４、左側面１５、斜面１６は、平面であるので、高精度に製作することができ、高精度な値付け測定が容易である。
【００５１】
すなわち、背面１２、右側面１４、左側面１５、斜面１６のそれぞれは、非常に良好な平面度に加工することができ、それぞれの平面度は、例えば光学干渉縞を利用することにより、高精度に（例えば、２０ｎｍ程度の精度で）測定することができる。また、背面１２と右側面１４との直角度、背面１２と左側面１５との直角度、斜面１６と右側面１４との直角度、及び斜面１６と左側面１５との直角度、背面１２と斜面１６との角度も、それぞれ、非常に高精度に加工することができ、高精度に角度を値付け測定することができる。
【００５２】
なお、背面１２、右側面１４、左側面１５、斜面１６は、測定対象となる部分のみを高精度に加工すればよく、必ずしも、それぞれの面全体を高精度に加工する必要はない。例えば図４に示したように、背面１２、右側面１４、左側面１５（図示せず）には、それぞれ、高精度に加工された垂直方向に延在する部分１２ａ，１４ａ，１５ａ（図示せず）と、高精度に加工された水平方向に延在する部分１２ｂ，１４ｂ，１５ｂ（図示せず）とが含まれていればよく、斜線を付した部分は、必ずしも高精度に加工する必要はない。
【００５３】
また、測定に支障がない領域には、アーティファクト１０の取り扱いを容易にするための凹部など、例えば右側面１４と左側面１５との間を貫通する貫通穴１３を形成してもよい。
【００５４】
アーティファクト１０は、製作後、高精度な測定装置（例えば、トレーサブルな三次元座標測定機）を用いて、予め値付け測定を行い、その値付け測定結果を記憶する。すなわち、背面１２、右側面１４、左側面１５、斜面１６のそれぞれの平面度を測定する。また、背面１２と斜面１６とがなす角度γ、背面１２と右側面１４との直角度、背面１２と左側面１５との直角度、斜面１６と右側面１４との直角度、及び斜面１６と左側面１５との直角度を、それぞれ測定する。
【００５５】
図２に示すように、アーティファクト１０は、歯車歯面形状測定機２の回転テーブル４上に載置し、歯車歯面形状測定機２で測定を行う。これによって、歯車歯面形状測定機２のはすば歯車歯筋測定の検査・校正を行う。
【００５６】
歯車歯面形状測定機２の回転テーブル４は、垂直方向の中心軸Ｍのまわりを回転可能である。歯車歯面形状測定機２は、水平面内の直交２方向に移動可能なコラム５にセンサ取付部６が設けられている。以下では、垂直方向（中心軸Ｍと平行な方向）をＺ方向、歯車歯面形状測定機２に設置される測定対象のはすば歯車（以下、「測定対象はすば歯車」という。）の歯筋測定が行われるときの歯筋測定歯面の作用線方向をＹ方向、Ｙ方向及びＺ方向の両方に直角な方向をＸ方向という。測定対象はすば歯車の中心軸は、回転テーブル４の中心軸Ｍと一致する。
【００５７】
センサ取付部６は、コラム５に沿って垂直方向（Ｚ方向）に移動可能である。センサ取付部６からは、プローブ７が、回転テーブル４側に向けて略Ｘ方向に延在している。プローブ７は、プローブ７の先端８が歯車の歯面に当接したときに変位し、プローブ７の先端８の変位を検出する。
【００５８】
アーティファクト１０は、不図示のチルト調節可能な治具を介して歯車歯面形状測定機２の回転テーブル４上に載置し、アーティファクト１０の位置及び傾きを調整した後、アーティファクト１０の斜面１６を、測定対象はすば歯車の歯筋測定歯面と見立てて、歯筋測定を行う。
【００５９】
アーティファクト１０を歯車歯面形状測定機２の回転テーブル４上に載置し、アーティファクト１０の位置及び傾きを調整するとき、アーティファクト１０の斜面１６の位置及び傾きが、測定対象はすば歯車の歯筋測定歯面の歯筋測定が行われるときの位置及び傾きと略一致するように調整する。これにより、アーティファクト１０の斜面１６を測定対象はすば歯車の歯筋測定歯面と見立てて歯筋測定を行うときに、アーティファクト１０の斜面１６が歯筋測定可能な範囲内に収まるようにする。すなわち、前述した条件（ｂ）を満たすようにする。
【００６０】
アーティファクト１０の寸法・形状、特に背面１２と斜面１６とがなす角度γは、歯車歯面形状測定機２に載置されたアーティファクト１０の位置調整後の斜面１６と測定対象歯車の歯筋測定歯面との理論的隙間が測定に適正なように（例えば、斜面１６の歯筋測定の測定値が、歯車歯面形状測定機が保証する範囲内に入るように）決定する。すなわち、前述した条件（ａ）を満たすようにする。これにより、アーティファクト１０の斜面１６を測定対象はすば歯車の歯筋測定歯面と見立てて歯筋測定したときに、歯車歯面形状測定機２で計測する測定対象はすば歯車の歯筋測定歯面に近い形状を計測することができる。
【００６１】
次に、アーティファクト１０を用いて検査・校正を行う手順の詳細について説明する。
【００６２】
まず、アーティファクト１０を回転テーブル４上に載置し、アーティファクト１０の背面１２と右側面１４又は左側面１５の傾きを測定する。このとき、アーティファクト１０の位置及び傾きは、アーティファクト１０の斜面１６の位置及び傾きが、測定対象はすば歯車の歯筋測定歯面と見立てて歯筋測定することができる所定の位置及び傾きに概ね一致するようにする。
【００６３】
所定の位置及び傾きでは、回転テーブル４の上方からＺ方向にアーティファクト１０を見た要部拡大図である図３に示すように、アーティファクト１０の斜面１６の法線がＸ方向に垂直な平面（Ｙ−Ｚ面）に含まれ、アーティファクト１０の斜面１６にプローブ７の先端８が当接する接点と中心軸Ｍとの長さが、測定対象はすば歯車の歯筋測定半径（例えば基準ピッチ円半径）と一致する。また、歯筋測定を行ったときに、プローブ７の先端８は、アーティファクト１０の斜面１６に沿って移動し、アーティファクト１０の斜面１６から飛び出すことがない。理想的には、アーティファクト１０の背面１２の法線方向はＹ方向と一致し、右側面１４又は左側面１５の法線方向はＸ方向と一致する。
【００６４】
アーティファクト１０の傾きは、アーティファクト１０の背面１２と右側面１４又は左側面１５の傾きを測定しながら、前述した不図示のチルト調節可能な治具を用いて調整する。
【００６５】
アーティファクト１０の背面１２と右側面１４又は左側面１５の傾きは、例えば、コラム５のセンサ取付部６に高精度な測定器（例えば、電気マイクロメーター）を取り付け、アーティファクト１０の背面１２と右側面１４又は左側面１５にこの測定器のプローブを当接させた状態で、コラム５をＸ方向又はＹ方向に移動させ、あるいはセンサ取付部６をＺ方向に移動させ、コラム５又はセンサ取付部６の移動距離と測定器で測定した変位との関係から求める。
【００６６】
あるいは、歯車歯面形状測定機２のプローブ７で、アーティファクト１０の背面１２及び右側面１４又は左側面１５を移動しながら測定することにより求めてもよい。この場合、例えば回転テーブル４を９０度回転させ、アーティファクト１０の背面１２及び右側面１４又は左側面１５を、それぞれ、Ｙ方向に垂直な平面（Ｘ−Ｚ面）と略平行な状態にして測定する。
【００６７】
アーティファクト１０の位置及び傾きを調整した後のアーティファクト１０の背面１２と右側面１４又は左側面１５の傾きについて、最終的な測定を行い、その結果を記憶する。
【００６８】
次いで、アーティファクト１０の斜面１６に、歯車歯面形状測定機２のプローブ７の先端８を当接させる。この歯筋測定開始状態から、アーティファクト１０の斜面１６がはすば歯車の歯面であると見立てて、歯車歯面形状測定機２によって、歯筋測定を行い、実測値を得る。すなわち、回転テーブル４を回転させるとともに、回転テーブルの回転角度に比例してセンサ取付部６をＺ方向に移動させながら、プローブ７の先端８の変位を測定する。測定結果は、例えば、回転テーブル４の回転角とプローブ７の先端８が斜面１６に接している状態での測定値とを対にして記憶する。
【００６９】
次いで、アーティファクト１０の斜面１６が測定対象はすば歯車の歯筋測定歯面であると見立てて歯筋測定を行った場合の歯筋測定の理論値を演算する。
【００７０】
まず、位置及び傾きを調整した後のアーティファクト１０の背面１２と右側面１４又は左側面１５の傾き測定結果と、アーティファクト１０の値付け測定結果とに基づいて、アーティファクト１０の斜面１６の傾き（斜面１６の方向余弦）を求める。また、歯車歯面形状測定機２のプローブ７による歯筋測定開始可能状態において、測定歯筋曲線の基準となる点を、アーティファクト１０の斜面１６上の点（プローブ７の先端８の接点）の位置として求める。
【００７１】
次いで、アーティファクト１０の斜面１６がはすば歯車の歯面であると見立てて、歯車歯面形状測定機２によって歯筋測定を行った場合について、歯筋測定に対応するよう回転テーブル４を所定方向に回転させるとともに、回転テーブルの回転角度に比例してセンサ取付部６をＺ方向に移動させたときの、プローブ７の先端８が斜面１６に接している接触位置を算出し、歯車歯面形状測定機が出力すべき理論値を演算し、実測値を評価する際の基礎とする。
【００７２】
最後に、アーティファクト１０の斜面１６の実測値と理論値とを比較する。例えば、図５（ａ）に示すように、縦軸に歯筋誤差Ｆβ、横軸に歯幅ｂをとり、実線で示した実測値（実測値曲線）と、破線で示した理論値（理論値曲線）とを同一のグラフに重ねて表示する。あるいは、図５（ｂ）に示すように、縦軸に実測値と理論値の差ΔＦβ、横軸に歯幅ｂをとって図示したり、偏差δ＋、δ−などの数値を算出したりする。
【００７３】
上記手順では、背面１２と右側面１４又は左側面１５の傾きの測定結果から、斜面１６の傾きを求め、理論値を算出する。つまり、アーティファクト１０の背面１２と、右側面１４又は左側面１５と、斜面１６とを基準部として高精度に加工し、それぞれの平面度や直角度、背面１２と斜面１６とがなす角度γを予め値付け測定を行えばよい。
【００７４】
なお、上記以外の他の面、例えば上面１1も基準部に含め、高精度に加工し、予め値付け測定を行い、歯車歯面形状測定機２に設置したときの傾きを測定するようにしてもよい。この場合、理論値の精度が高まり、歯車歯面形状測定機２の検査・校正の精度向上が期待できる。
【００７５】
（変形例１）  次に、より簡便な手順について説明する。
【００７６】
図６（ａ）に示すように、アーティファクト１０を、不図示のチルト調節可能な治具を介して、歯車歯面形状測定機２の回転テーブル４上の略所定位置に載置する。そして、回転テーブル４上のアーティファクト１０の右側面１４又は左側面１５に、歯車歯面形状測定機２のプローブ７の先端８を当接させた状態で、アーティファクト１０のセンサ取付部６をＺ方向に移動させながら測定を行い、アーティファクト１０の右側面１４又は左側面１５が回転テーブル４の中心軸Ｍと平行になるように、治具を用いてアーティファクト１０の傾きを調整する。
【００７７】
次いで、回転テーブル４上のアーティファクト１０の右側面１４又は左側面１５に、歯車歯面形状測定機２のプローブ７の先端８を当接させた状態でコラム５をＸ方向に移動させながら測定を行い、回転テーブル４上のアーティファクト１０の配置角度を求める。
【００７８】
次いで、計測した回転テーブル４上のアーティファクト１０の配置角度に応じて回転テーブル４を回転し、図６（ｂ）に示すように、アーティファクト１０の背面１２がＹ方向と略垂直（Ｘ−Ｚ面と略平行）になるようにする。そして、回転テーブル４上のアーティファクト１０の背面１２に、歯車歯面形状測定機２のプローブ７の先端８を当接させた状態で、歯車歯面形状測定機２のセンサ取付部６をＺ方向に移動させながら測定を行い、アーティファクト１０の背面１２が回転テーブル４の中心軸Ｍと平行になるように、治具を用いてアーティファクト１０の傾きを調整する。
【００７９】
次いで、回転テーブル４上のアーティファクト１０の背面１２に、歯車歯面形状測定機２のプローブ７の先端８を当接させた状態で、歯車歯面形状測定機２のコラム５をＸ方向に移動させながら測定を行う。これらの測定時になされた回転テーブルの角度は記憶されており、これらの値を用いて回転テーブル４上のアーティファクト１０の配置角度を求める。
【００８０】
このとき、理想的には、アーティファクト１０の背面１２が、歯車歯面形状測定機２に設置された場合に想定される測定対象はすば歯車の中心軸、すなわち回転テーブル４の中心軸Ｍを含む平面と平行、かつ、測定対象歯車の歯筋測定歯面の作用線方向（Ｙ方向）と直角になり、プローブ７の先端８をアーティファクト１０の背面１２に当接させながらＺ方向に移動させても、プローブ７の先端８のＹ方向変位が生じないようにする。
【００８１】
次いで、アーティファクト１０の斜面１６に、歯車歯面形状測定機２のプローブ７の先端８を当接させ、この状態から、アーティファクト１０の斜面１６が測定対象はすば歯車の歯筋測定歯面であると見立てて、歯車歯面形状測定機２によって、歯筋測定を行う。
【００８２】
上記手順では、歯車歯面形状測定機２以外に、センサなどの測定器を用いないので、歯車歯面形状測定機２の測定精度の評価を簡単に行うことができる。
【００８３】
（変形例２）  次に、別の手順について説明する。
【００８４】
図６（ｂ）に示すように、アーティファクト１０の背面１２がＹ方向と略垂直（Ｘ−Ｚ面と略平行）になるように、回転テーブル４上の略所定位置にアーティファクト１０を設置し、アーティファクト１０の背面１２の傾きを測定する。
【００８５】
例えば、回転テーブル４上のアーティファクト１０の背面１２に、歯車歯面形状測定機２のプローブ７の先端８が当接した状態で、センサ取付部６をＺ方向に移動させながら測定を行い、背面１２のＸ軸まわりの角度を求める。このとき、測定値を参照し、アーティファクト１０の背面１２が回転テーブル４の中心軸Ｍとできるだけ平行になるように、不図示の治具を用いてアーティファクト１０の傾きを調整した後、Ｚ方向移動時の最終測定値（すなわち、背面１２のＸ軸まわりの角度）を記憶するようにしてもよい。
【００８６】
次いで、回転テーブル４上のアーティファクト１０の背面１２に歯車歯面形状測定機２のプローブ７の先端８が当接した状態で、コラム５をＸ方向に移動させながら測定を行い、背面１２のＺ軸まわりの角度を求める。このとき、測定値を参照し、プローブ７の先端８のＹ方向変位ができるだけ生じないように、治具を用いてアーティファクト１０のＺ軸まわりの傾きを調整した後、Ｘ方向移動の最終測定値（すなわち、背面１２のＺ軸まわりの角度）を記憶するようにしてもよい。
【００８７】
次いで、アーティファクト１０の斜面１６に、歯車歯面形状測定機２のプローブ７の先端８を当接させ、コラム５をＸ方向に移動させながら測定を行い、その測定結果と、背面１２の傾きの測定結果と、アーティファクト１０の値付け測定結果とにより、斜面１６のＹ軸まわりの角度を求める。このとき、測定値を参照し、プローブ７の先端８のＹ方向変位ができるだけ生じないように、治具を用いてアーティファクト１０のＹ軸まわりの回転角度を調整した後、Ｘ方向移動の最終測定値（すなわち、斜面１６のＹ軸まわりの角度）を記憶するようにしてもよい。なお、アーティファクト１０の斜面１６のＹ軸まわりの角度の測定は、後述する歯筋測定の後に行ってもよい。
【００８８】
次いで、アーティファクト１０の斜面１６が測定対象はすば歯車の歯筋測定歯面であると見立てて、歯車歯面形状測定機２によって、歯筋測定を行う。
【００８９】
上記手順では、背面１２及び斜面１６の測定値から、斜面１６の傾きを導出し、理論値を算出することができる。つまり、アーティファクト１０の背面１２及び斜面１６のみを基準部として高精度に加工し、背面１２及び斜面１６の平面度と、背面１２と斜面１６とがなす角度γを値付け測定するだけでよい。なお、背面１２の代わりに、前面１７を基準部としてもよい。
【００９０】
（変形例３）  次に、さらに別の手順について説明する。
【００９１】
図６（ｂ）に示すように、アーティファクト１０の背面１２がＹ方向に略垂直（Ｘ−Ｚ面と略平行）になるように、回転テーブル４上の略所定位置にアーティファクト１０を設置し、上面１１の傾きを測定する。
【００９２】
次いで、アーティファクト１０の斜面１６に、歯車歯面形状測定機２のプローブ７の先端８を当接させ、コラム５をＸ方向に移動させながら測定を行い、その測定結果と、上面１１の傾きの測定結果と、アーティファクト１０の値付け測定結果とにより、斜面１６のＺ軸まわりの角度を求める。このとき、測定値を参照し、プローブ７の先端８のＹ方向変位ができるだけ生じないように、治具を用いてアーティファクト１０のＺ軸まわりの回転角度を調整した後、Ｘ方向移動の最終測定値（すなわち、斜面１６のＺ軸まわりの角度）を記憶するようにしてもよい。なお、アーティファクト１０の斜面１６のＺ軸まわりの角度の測定は、後述する歯筋測定の後に行ってもよい。
【００９３】
次いで、アーティファクト１０の斜面１６が測定対象はすば歯車の歯筋測定歯面であると見立てて、歯車歯面形状測定機２によって、歯筋測定を行う。
【００９４】
上記手順では、上面１１及び斜面１６の測定値から、斜面１６の傾きを導出し、理論値を算出することができる。つまり、アーティファクト１０の上面１１及び斜面１６のみを基準部として高精度に加工し、上面１１及び斜面１６の平面度と、上面１１と斜面１６とがなす角度（９０°−γ）を値付け測定するだけでよい。
【００９５】
（まとめ）  以上に説明したように、アーティファクト１０を用い、その斜面１６を測定対象はすば歯車の歯筋測定歯面とみなして歯車歯面形状測定機２で歯筋測定を行い、実測値を得るとともに、この歯筋測定の理論値を求めることにより、実測値と理論値との差から、歯車歯面形状測定機２がどの程度の精度で歯筋測定を行うことができるかが分かる。アーティファクト１０は、高精度に製作でき、高精度に値付け測定ができ、トレーサビリティの保証も容易である。
【００９６】
歯車歯面形状測定機に設置されたアーティファクト１０を測定し、その測定値に基づいて、アーティファクト１０が設置された状態での歯筋測定の理論値を求めることができる。また、基準部は平面であるため、測定位置のずれを許容することができる。そのため、アーティファクト１０が前述した条件（ａ）及び（ｂ）を満たす略所定位置に配置されていれば、アーティファクトの設置を厳密に行わなくても検査・校正を行うことができる。したがって、検査・校正を容易に行うことが可能である。
【００９７】
なお、本発明は、上記した実施の形態に限定されるものではなく、種々変更を加えて実施可能である。
【００９８】
例えば、アーティファクト１０の面１１，１２，１４，１５，１６，１７の位置や傾きを適宜に選択して測定し、アーティファクト１０の斜面１６の位置及び傾きが所定の位置及び傾きになるように調整することができる。
【図面の簡単な説明】
【００９９】
【図１】アーティファクトの（ａ）正面図、（ｂ）右側面図、（ｃ）背面図、（ｄ）左側面図である。（実施例）
【図２】歯車歯面形状測定機での測定の説明図である。（実施例）
【図３】図２の歯車歯面形状測定機を上から見た要部拡大図である。（実施例）
【図４】アーティファクトの斜視図である。（実施例）
【図５】測定結果のグラフである。（実施例）
【図６】評価手順の説明図である。（変形例）
【図７】はすば歯車の歯筋の説明図である。
【図８】はすば歯車の歯筋と歯筋相当平面の説明図である。
【図９】理論値と実測値のグラフである。
【符号の説明】
【０１００】
２  歯車歯面形状測定機
４  回転テーブル
５  コラム
６  センサ取付部
７  プローブ
８  先端
１０  アーティファクト
１１  上面（第２の基準部、第５の基準部）
１２  背面（第２の基準部、第５の基準部）
１４  右側面（第３の基準部、第４の基準部）
１５  左側面（第４の基準部、第３の基準部）
１６  斜面（第１の基準部）
【図１】
2006300882.tif 000003
【図２】
2006300882.tif 000004
【図３】
2006300882.tif 000005
【図４】
2006300882.tif 000006
【図５】
2006300882.tif 000007
【図６】
2006300882.tif 000008
【図７】
2006300882.tif 000009
【図８】
2006300882.tif 000010
【図９】
2006300882.tif 000011